(57)【要約】【課題】  静止誘導電器において，巻線の上下の開口部からは漏洩磁界が生じるが、この漏洩磁界が当板に鎖交することとなる。これにより、巻線から漏れる磁束により鉄心と巻線の間に配置される当板にうず電流が誘起されて漂遊損失が発生することとなり、静止誘導機器の効率が低減する場合がある。【解決手段】鉄心と、鉄心に巻き回された巻線と、鉄心の上下に設けられた上締金具と下締金具と、上締金具と下締金具とを連結し鉄心と巻線との間に配置される当板とを有する変圧器であって、当板の側面部に、当板が有する透磁率よりも高い透磁率、または、当板が有する電気抵抗率よりも高い電気抵抗率を有する保護部材が配置されたことを特徴とする静止誘導電器。【選択図】  図１
2018107224.tif 000002
【特許請求の範囲】
【請求項１】
鉄心と、前記鉄心に巻き回された巻線と、前記鉄心の上下に設けられた上締金具と下締金具と、前記上締金具と前記下締金具とを連結し前記鉄心と前記巻線との間に配置される当板とを有する変圧器であって、
前記当板の側面部に、前記当板が有する透磁率よりも高い透磁率、または、前記当板が有する電気抵抗率よりも高い電気抵抗率を有する保護部材が配置されたこと
を特徴とする静止誘導電器。
【請求項２】
請求項１に記載の静止誘導機器において、
前記保護部材は前記当板の幅以上の幅を有しており、
前記保護部材は、前記巻線の下端よりも前記鉄心の底面側に突き出ている、または、前記巻線の上端よりも前記鉄心の上面側に突き出ていること
を特徴とする静止誘導機器。
【請求項３】
請求項１に記載の静止誘導機器において、
前記保護部材は前記当板の幅以上の幅を有しており、
前記保護部材の長さは、前記巻線の下端から上端までの長さよりも高く、前記保護部材の幅は前記当板の幅よりも大きいこと
を特徴とする静止誘導機器。
【請求項４】
請求項１に記載の静止誘導機器において、
前記保護部材は前記当板の幅以上の幅を有しており、
前記保護部材は、前記巻線の上端の開口部と前記鉄心上面との延長線が前記当板と交わる点よりも突き出ている、または前記巻線の下端の開口部と前記鉄心下面の延長線が前記当板と交わる点よりも突き出ていること
を特徴とする静止誘導機器。
【請求項５】
請求項１に記載の静止誘導機器において、
前記保護部材は、金属部材であって、
前記保護部材の表面が絶縁部材により覆われたこと
を特徴とする静止誘導機器。
【請求項６】
請求項１乃至５に記載の静止誘導機器において、
前記保護部材は、前記当板のうち前記鉄心側の面または前記巻線側の面に設けられたこと
を特徴とする静止誘導機器。
【請求項７】
請求項６に記載の静止誘導機器において、
前記保護部材は、前記当板の幅方向の外周を覆うように配置されたこと
を特徴とする静止誘導電器。
【請求項８】
請求項６に記載の静止誘導機器において、
前記保護部材は、前記当板の幅方向の外周を覆うように配置されており、前記外周の一部に開放部が設けられたこと
を特徴とする静止誘導電器。
【請求項９】
請求項６に記載の静止誘導機器において、
前記保護部材のうち第１の保護部材と第２の保護部材を有しており、
前記第１の保護部材は、前記当板の幅方向の外周を覆うように配置されており、
前記第１の保護部材と前記当板との間に、前記第２の保護部材が設けられたこと
を特徴とする静止誘導機器。
【請求項１０】
請求項９に記載の静止誘導機器において、
前記第２の保護部材は前記巻線側に設けられたこと
を特徴とする静止誘導機器。
【請求項１１】
請求項６に記載の静止誘導機器において、
前記保護部材は、無方向性電磁鋼板、または、方向性電磁鋼板であること
を特徴とする静止誘導機器。
【請求項１２】
請求項６に記載の静止誘導機器において、
前記保護部材は方向性電磁鋼板であって、磁化容易軸が略水平方向であること
を特徴とする静止誘導機器。
【発明の詳細な説明】
【技術分野】
【０００１】
本発明は静止誘導電器の漂遊損失の低減技術に関する。
【背景技術】
【０００２】
極薄電磁鋼板，アモルファス，ナノ結晶合金等の低損失磁性材料は厚さがおおむね0.5mm以下の薄帯状であり，容量がおおむね5MVA以下の受配電用変圧器等の静止誘導電器用鉄心に適用する際は，該材料を複数枚積層，巻回した「巻鉄心」を構成し，その外周を金属製固定部材で覆って鉄心を固定する構造が一般的である。
【０００３】
例えば、特許文献１（特開平１１−２８８８２２号公報）には「変圧器鉄心外面に絶縁物を介して当て板を配置するものにおいて、前記絶縁物と当て板が接する面で絶縁物の垂直方向に冷却流路を形成したことを特徴とする静止誘導電器鉄心。」が開示されている（請求項１参照）。
【０００４】
また，特許文献２（特開２００２−７５７５２号公報）には，「鉄心と、該鉄心に巻き回された巻線と、前記鉄心を両面側から挟持して締め付ける鉄心締付金具と、該鉄心締付金具の表面に設けられ、前記巻線からの漏れ磁束の鉄心締付金具への侵入を阻止する高透磁率の磁気シールドと、を備えた静止誘導電器。」する技術が開示されている（請求項１参照）。
【先行技術文献】
【特許文献】
【０００５】
【特許文献１】特開平１１−２８８８２２号公報
【特許文献２】特開２００２−７５７５２号公報
【発明の概要】
【発明が解決しようとする課題】
【０００６】
特許文献１には、変圧器の鉄心は板厚の薄い珪素鋼板をそれぞれ所定幅に切断したものを複数枚積層した鉄心を均一に締付ける締圧の確保と吊上げ及び短絡機械力が分担できるように鉄心脚には当て板が用いられていることが記載されている。
【０００７】
また、変圧器の大容量化に伴い、必然的に巻線間に生ずる漏れ磁束の量も多くなり、これら漏れ磁束により生ずるうず電流損が大きくなることが記載されている。
【０００８】
すなわち、巻線から漏れる磁束により鉄心と巻線の間に配置される当板にうず電流が誘起されて漂遊損失が発生することとなり、静止誘導機器の効率が低減する場合がある。
【０００９】
特許文献１には、当板に流れるうず電流によって発生する損失を両面から冷却することが可能とするために当板の局部過熱を防止する構造が開示されているが、当板に流れるうず電流を低減させることについては考慮していない。
【００１０】
本発明は、当板に誘起される漂遊損失を低減させた静止誘導機器を提供することにある。
【課題を解決するための手段】
【００１１】
上記課題を解決するため，例えば特許請求の範囲に記載された構成を採用する。本願は上記課題を解決する複数の手段を含んでいるが，その一例を挙げるならば，鉄心と、鉄心に巻き回された巻線と、鉄心の上下に設けられた上締金具と下締金具と、上締金具と下締金具とを連結し鉄心と巻線との間に配置される当板とを有する変圧器であって、当板の側面部に、当板が有する透磁率よりも高い透磁率、または、当板が有する電気抵抗率よりも高い電気抵抗率を有する保護部材が配置されたことを特徴とする。
【発明の効果】
【００１２】
本発明の構成により，静止誘導機器の漂遊損失を低減し、静止誘導機器の効率を向上させることが可能になる。
【図面の簡単な説明】
【００１３】
【図１】本発明の第１の実施例を示す，静止誘導電器の縦断面図および側面図である。
【図２】本発明の第1の実施例を示す，当板とシールド材の拡大断面図である。
【図３】本発明の第１の実施例を示す，三相静止誘導電器の断面斜視図である。
【図４】本発明の第１の実施例の効果を示す，電磁界解析による漂遊損密度の分布図である。
【図５】本発明の第１の実施例の効果を示す，電磁界解析による漂遊損失の計算値の従来例との比較を示す図である。
【図６ａ】本発明の第２の実施例を示す，静止誘導電器の縦断面図および側面図である。
【図６ｂ】本発明の第２の実施例を示す，矩形形状の巻線の上面図である。
【図７】本発明の第３の実施例を示す，静止誘導電器の縦断面図である。
【図８】本発明の第４の実施例を示す，静止誘導電器の縦断面図である。
【図９】本発明の第５の実施例を示す，静止誘導電器の縦断面図および当板とシールド材の横断面図である。
【図１０】本発明の第６の実施例を示す，静止誘導電器の縦断面図および当板とシールド材の横断面図である。
【図１１】本発明のシールド材を備えていない静止誘導電器の縦断面図および側面図である。
【図１２】本発明の静止誘導電器の縦断面図の一例である。
【発明を実施するための形態】
【００１４】
以下，本発明の複数の実施例を，図面を用いて詳細に説明する。
【実施例１】
【００１５】
図１から図３を用いて，本発明の第１の実施例について説明する。図１は静止誘導電器の左端部の縦断面図と側面図を，図２は当板とシールド材の拡大断面図を，図３は三相誘導電器の全体の構造を断面斜視図で示したものである。静止誘導機器とは、鉄心と当該鉄心に巻き回されたコイル（巻線）を有する変圧器やリアクトルを含む概念である。
【００１６】
本明細書においてシールド材は、当板を覆うように配置することから保護部材または当板の面に沿うように配置されることから板状部材とも呼ぶ。後述の実施例で当板にペーストまたは塗料として塗布したものも保護部材または板状部材の概念に含まれる。
【００１７】
図１に示した静止誘導電器の左端部の縦断面図では，鉄心１の周囲に低圧巻線２ａと高圧巻線２ｂが巻回されている。鉄心１の側面部に金属製の板状構造部材である「当板」３が近接して備えられる。当板３は図３に示されるＵ相磁脚１ａとＵ相磁脚１ａに巻き回された低圧巻線２ａとの間に配置される。
【００１８】
また、鉄心１は、Ｕ相磁脚１ａを有する外鉄心と、Ｕ相磁客１ａの内側に設けられたＶ相磁脚１ｂを有する鉄心とＷ相磁脚を有する鉄心は内鉄心と呼ばれる。また、低圧巻線２ａと高圧巻線２ｂはＵ相磁脚１ａを有する外鉄心とＶ相磁脚１ｂを有する内鉄心に巻き回されている。
【００１９】
つまり、当板３は外鉄心の外周側の平面と低圧巻線２ａの内周の平面との間に挟み込まれるように配置されている。言い換えると、外鉄心の外周側と低圧巻線２ａの内周側とが構成する空間に配置されている。
【００２０】
また、当板３の上下の端部はスタッドボルト６，およびボルトとナット７等の接続手段により，上部固定部材５ａ，下部固定部材５ｂによって固定される。また、これらの上部固定部材５ａと下部固定部材５ｂによって鉄心１を締め付けることでその形状を保持している。このように当板３を配置することで、静止誘導電器の筺体体積を小さくすることができる。
【００２１】
ここで，本実施例のシールド材４は、当板３の低圧巻線２ａと対向する側が，低圧巻線２ａ，高圧巻線２ｂの上面の高さよりも長い。また、シールド材４の幅は当板３以上の幅である。シールド材４の上下方向の長さは低圧巻線２ａの下端から上端までの長さよりも大きい。
【００２２】
シールド材４の部材として、当板３の部材よりも高い透磁率を有する板状の部材用い、これを複数枚積層して構成される。
【００２３】
当板３の部材よりも高い透磁率を有する板状の部材は、方向性電磁鋼板等を用いることができ、一枚であっても実施することができる。よりシールド効果を向上させるため、複数枚を用いて積層することが望ましい。
【００２４】
上記したシールド材４は、巻線２ａの上面よりも上部側に突き出ているため、巻線２ａから放出される漏れ磁束が当板３に鎖交する量を低減し、漂遊損失を減少させることができる。同様にシールド材４は、巻線２ａの上面よりも下部側に突き出ているため、下部側の漂遊損失を減少させることができる。
【００２５】
これにより、静止誘導機器全体の効率を向上させることができる。なお、シールド材４は、巻線２ａの上下両方に必須ではなく、上部または下部のいずれか一方だけに配置しても、漂遊損失を低減させることが可能である。望ましくは上下両方に配置するとよい。
【００２６】
次に具体的な当板３の寸法について説明する。図１右側に示した静止誘導電器の側面図において，シールド材４の高さをＨ１，幅をＷ１，当板３の高さをＨ２，幅をＷ２，巻線２ａ，２ｂの高さをＨ３とした場合，Ｈ３≦Ｈ１＜Ｈ２，Ｗ１≧Ｗ２，なる関係とすることが好適である。
【００２７】
すなわち、シールド材４の高さは、巻線２ａ，２ｂの高さ以上であって、当板３の高さよりも小さいとよい。また、シールド材４の幅は当板の幅以上であるとよい。
【００２８】
なお，この寸法の関係は漂遊損失の低減効果を十分に得るために望ましい条件を示したものである。
【００２９】
図２は，図１左側の縦断面図に示したＡ部の拡大図である。シールド材４を，無方向性珪素鋼板（無方向性電磁鋼板），方向性珪素鋼板等（方向性電磁鋼板）の薄板状高透磁率材料４ａを複数枚重ねて構成され，当板３に密着固定する構成が好適である例を示す。このように密着固定することで、静止誘導機器の幅方向の大きさが増さないようにできる。
本明細書において、無方向性電磁鋼板と方向性電磁鋼板を総称して単に電磁鋼板と呼ぶ。
【００３０】
また、シールド材に方向性電磁鋼板を用いる場合には、磁化容易軸が水平方向であるとよい。また、水平方向に限らず鉛直方向と異なる角度であってもよい。水平方向に近い磁化容易軸とすることで、低圧巻線２ａと高圧巻線２ｂから漏れる磁束が放射される方向と異なる角度の磁化容易軸であるため、より当板３へ漏れ磁束が鎖交するのを防ぐことができる。
【００３１】
個々の薄板状高透磁率材料４ａの表面には一定の厚さの絶縁層が形成され，隣接する他の４ａ，および当板３とは電気的に絶縁することができる。
シールド材４を固定する方法は，巻線２ａとシールド材４の間隙に，絶縁性材料を充填して圧力をかける方法，絶縁性のバインド材で，シールド材４と当板３を巻回，締結する方法，接着剤等でシールド材４を当板３と一体固定する方法，等を用いて実施できる。
【００３２】
図３は，本実施例を適用した三相誘導電器の全体の構造の断面斜視図である。薄帯状磁性材料を巻回して構成した複数の巻鉄心を組み合わせて三相三脚型の鉄心が構成されて。左から順に，Ｕ相磁脚１ａ，Ｖ相磁脚１ｂ，Ｗ相磁脚１ｃが並んでおり，各磁脚には透視図で示した低圧巻線２ａが内側に，高圧巻線２ｂが外側にそれぞれ巻回されている。薄帯状磁性材料は珪素鋼板やアモルファス薄帯を用いることができる。
【００３３】
Ｕ相磁脚１ａとＷ相磁脚１ｃの側面部に当板３が備えられ，上部固定部材５ａおよび下部固定部材５ｂと締結されている。そして、当板３が有する面のうち巻線２ａと対向する側にシールド材４が当板３に沿って備えられている。
【００３４】
次に，本実施例の効果を図４および図５を使って説明する。
図４は，容量５００ｋＶＡの三相三脚型巻鉄心を持つ変圧器に対して３次元電磁界解析で求めた，当板３の表面で発生する漂遊損密度の分布を当該変圧器の外鉄心外周側に巻き回された巻線側から見た図である。つまり、図３におけるａ−ａ’断面における漂遊損失の密度分布である。
【００３５】
鉄心の材料は，(株)日立金属製のアモルファス材料２６０５ＨＢ１Ｍを巻回した製造された巻鉄心のパラメータを用いている。
【００３６】
また，巻線２ａ，２ｂ，当板３，シールド材４の物性値と寸法は，表１に示した条件で計算した。図４の左側に示した従来例は，シールド材４が存在しない状態，右側に示した実施例１は，図１に示した如く，シールド材４を当板３と低圧巻線２ａが対向する面に備えた状態である。
【００３７】
一方で、本実施例の比較対象としてシールド材４を設けない構成について図１１を用いて説明する。図１１は受配電用静止誘導電器の一例である変圧器内部の鉄心と巻線の左端部の縦断面図と側面図を例示したものである。
【００３８】
基本構造は実施例１とほぼ同様であり、異なる点は、外鉄心と低圧巻線２ａとの間に設けられる当板３にシールド材４が配置されていない点である。
【００３９】
当板３は鉄心１と内側の低圧巻線２ａの間隙部に備えられており、巻線２ａ、２ｂの上下の開口部からは漏洩磁界が発生する。この漏洩磁界が当板３に鎖交することで漂遊損失が生じる。
【００４０】
図１１の構成の計算結果から，図４の従来例に示すように巻線２ａ，２ｂの上下の開口部近傍の当板３の表面が黒く示される。つまり、巻線２ａの開口部近傍に漂遊損失が多く発生することを示す。また、巻線２ａの開口部のうち上面の内周側近傍と下面の内周側近傍の損失密度が大きいことがわかる。
【００４１】
それに対して実施例１の計算結果は，漂遊損失が集中して発生する箇所が消失する特徴が見られる。本発明を実施することで漂遊損失を低減することができることが示されている。
【００４２】
【表１】
2018107224.tif 000003
【００４３】
図５は，図４に示した従来例と実施例１における漂遊損失密度分布の計算結果から，当板３とシールド材４で発生する漂遊損失の合計値を求めて比較したものである。
【００４４】
縦軸の漂遊損失は，従来例の計算値を１００％とした場合の相対値で示している。シールド材４を備えることにより，当板３で発生する漂遊損失は約１／４に減少し，シールド材４で発生する損失を含めても，漂遊損失の合計値はほぼ半減する効果が得られる。これにより、静止誘導機器全体の効率を向上させることができる。
【実施例２】
【００４５】
図６ａは，本発明の第２の実施例を示す。静止誘導電器の左端部の縦断面図と側面図である。実施例１で記述した構成部材の説明は省略する。本実施例では，当板３と巻線２ａが対向する面に，巻線２ａおよび２ｂの上下の開口部近傍を覆う高さを持つ薄板状高透磁率材料を複数枚積層して構成された上部シールド材４ｂと下部シールド材４ｃを備える。
【００４６】
図６ｂの低圧巻線２ａの上面図であり、図６ａと図６ｂを用いて低圧巻線２ａの上部の開口部について説明する。開口部とは、図６ａに示す低圧巻線２ａの上端である破線が開口部１００ａである。また、図６ｂに示す矩形の低圧巻線６ｂの内周側の領域が開口部である。
【００４７】
つまり、低圧巻線２ａの開口部とは、低圧巻線２ａの上部端面のうち中央の巻線が巻き回されていない面である。また、図６ａでは低圧巻線２ａと高圧巻線２ｂが同じ高さであるため、高圧巻線２ｂの開口部は低圧巻線２ａと同様の開口部１００ａとなる。
【００４８】
一方、低圧巻線２ａの下端である破線が開口部１００ｂである。同様に高圧巻線２ｂの開口部も１００ｂである。したがって、下部端面のうち中央の巻線が巻き回されていない面が下部の開口部１００ｂとなる。
【００４９】
図６ａ右側に示した静止誘導電器の側面図において，シールド材４ｂ、４ｃの高さをＨ１，幅をＷ１，上下のシールド材４ｂと４ｃとの間の間隔をｇ，当板３の高さをＨ２，幅をＷ２，巻線２ａ，２ｂの高さをＨ３とした場合，Ｈ３≦２×Ｈ１＋ｇ＜Ｈ２，Ｗ１≧Ｗ２，なる関係とすることが好適である。
【００５０】
また、上部シールド材４ｂのＨ１／２の高さに低圧巻線２ｂの開口部１００ａとするとよい。この場合は、開口部１００ａの上下部分の漂遊損失を低減させつつ、実施例１よりもシールド材を軽量化することができる。下部シールド材４ｃも同様である。なお、いずれか一方のみを配置しても実施可能である。
【００５１】
なお，この寸法の関係は漂遊損失の低減効果を十分に得るために望ましい条件を示したものである。
【００５２】
静止誘導電器の金属製構造部材で発生する漂遊損失は，主に巻線の上下開口部から漏洩する磁界が鎖交することで生じる。
【００５３】
よって、当板３で発生する漂遊損失は巻線開口部の近傍で多く発生する。本実施例では，この部分に上部シールド材４ｂと下部シールド材４ｃを備え，当板３の中央部の領域にｇの長さ分のシールド材を設けないこととなるため、実施例１よりも少量の部材で漂遊損失を効果的に低減することが可能になる。
【実施例３】
【００５４】
図７は，本発明の第３の実施例を示す，静止誘導電器の左端部の縦断面図である。実施例１で記述した構成部材の説明は省略する。
【００５５】
本実施例では，当板３の低圧巻線２ａと対向する側に実施例１と同様の寸法を持つ薄板状高透磁率材料を複数枚積層して構成された第１のシールド材４を備える。さらに、当板３の鉄心と対向する側に，第１のシールド材４と同様の寸法を持つ第２のシールド材４ｄを備える。
【００５６】
すなわち、当板３のうち低圧巻線２ａと対向する面に第１のシールド材４を有し、低圧巻線２ａと対向する面と異なる面である外鉄心と対向する面に第２のシールド材４ｄを有する。よって、当板３の両面にシールド材を備えることにより，実施例１よりも漂遊損失を低減することが可能になり，静止誘導電器の効率が向上する。
【実施例４】
【００５７】
図８は，本発明の第４の実施例を示す，静止誘導電器の左端部の縦断面図である。実施例１で記述した構成部材の説明は省略する。本実施例では，当板３の低圧巻線２ａと対向する側に実施例２と同様の寸法を持つ薄板状高透磁率材料を複数枚積層して構成された第１のシールド材４ｂを備える。さらに、当板３の鉄心と対向する側のうち，第１のシールド材と同一の高さに第１のシールド材４ｂと同様の寸法を持つ第３のシールド材４ｅを備える。なお、第１のシールド材４ｂ等は積層されていない部材であってもよい。
【００５８】
また、当板３の下部、すなわち、開口部１００ｂの高さに低圧巻線２ａ側の面に第２のシールド材４ｃが配置される。また、対向する面である外鉄心側の面に第４のシールド材４ｆが配置される。
【００５９】
よって、当板３の両面に巻線の上下の開口部のみを覆う高さを持つシールド材４ｂ、４ｃ、４ｄ、４ｅを備えることにより，必要最小限の部材で実施例２よりも漂遊損失を低減することが可能になり，静止誘導電器の効率が向上する。
【００６０】
さらに，本実施例では第２のシールド材４ｂが鉄心１の上端部と下端部のみに接触し，圧力をかける構成となり，中央の磁脚部には圧力がかからない。よって，磁脚部に作用する応力が低減され，薄帯状磁性材料を巻回して構成される巻鉄心で発生する励磁騒音が低減されるという効果が得られる。
【００６１】
また、磁脚部に歪が生じにくくなるため、損失を低減させることができる。したがって、本実施例の構成は、特に、アモルファス薄帯を部材とする巻鉄心構造に有効である。
【実施例５】
【００６２】
図９は，本発明の第５の実施例を示す， 静止誘導電器の左端部の縦断面図と，縦断面図中にＡ−Ａ’で示した面の横断面図である。実施例１で記述した構成部材の説明は省略する。
【００６３】
本実施例では，当板３の巻線２ａ，２ｂの上下の開口部近傍を覆う高さを持つ薄板状高透磁率材料を複数枚積層して構成された第１のシールド材４ｇと第２のシールド材４ｈを，該当板３の外周に巻回させ，端部には一定の間隙を設けつつ備える。これにより、シールド材４ｇに循環電流を流れるのを防ぎ、損失の低減が図られるようになる。
【００６４】
すなわち、第１のシールド材４ｇは、当板３を覆うようにシールド材で包み、開放端を設ける構成である。つまり、第１のシールド材４ｇは、当板３の幅方向の外周を覆うように構成されており、鉄心側を接続しないようにしている。
【００６５】
本構成により，実施例１に比べて少量の部材で実施例４と同等の漂遊損失低減効果が得られ，静止誘導電器の効率が向上する。また、漏れ磁束が生じやすい開放部１００ａと１００ｂの高さ周辺をシールド材が当板３の両面を覆うことにより、漂遊損失を低減させることができる。
【００６６】
さらに実施例４と同様に，シールド材４ｇが鉄心１の上端部と下端部のみに接触し中央部には接触しない構成であるため，鉄心１の上端部と下端部に圧力をかける構成となり，中央の磁脚部には圧力がかからない。よって，磁脚部に作用する応力が低減され，薄帯状磁性材料を巻回して構成される巻鉄心で発生する励磁騒音が低減されるという効果も得られる。
【実施例６】
【００６７】
図１０は，本発明の第６の実施例を示す，静止誘導電器の左端部の縦断面図と，縦断面図中にＡ−Ａ’で示した面の横断面図である。実施例１で記述した構成部材の説明は省略する。
【００６８】
本実施例では，当板３の低圧巻線２ａと対向する側に，実施例１と同様の寸法を持つ薄板状高透磁率材料を複数枚積層して構成された第１のシールド材４ｉを低圧巻線２ａの上部開口部の位置に備える。また、低圧巻線２ａの下部開口部の位置であって、低圧巻線２ａ側に第２のシールド材４ｊを備える。
【００６９】
さらに，実施例５同様に、当板３の巻線２ａの上部の開口部近傍を覆う高さを持つ薄板状高透磁率材料を複数枚積層して構成された第３のシールド材４ｇを，当板３とシールド材４を含む外周に巻回させ，端部に一定の間隙を設けつつ備える。また、下部開口部の位置には、第２のシールド材４ｊと当板３を覆い包むように第４のシールド材４ｊを設け、外鉄心側に開放端を設ける。
【００７０】
本構成により，実施例１と同等の漂遊損失の低減効果に加えて，漂遊損失が多く発生する当板３のうち低圧巻線２ａ側の面のうち巻線２ａ，２ｂの上下の開口部に備えた第１，第２のシールド材４ｉ、ｊによる漂遊損失の低減効果が得られ，静止誘導電器の効率が向上する。
【００７１】
さらに実施例４および実施例５と同様に，第３のシールド材４ｇと第４のシールド材４ｈが鉄心１の上端部と下端部のみに接触し，圧力をかける構成となり，中央の磁脚部には圧力がかからない。
【００７２】
よって，磁脚部に作用する応力が低減され，薄帯状磁性材料を巻回して構成される巻鉄心で発生する励磁騒音が低減されるという効果も得られる。
【００７３】
上記した実施例のシールド材４等の部材は、当板３が有する透磁率より高い透磁率であるとよい。また、他の例として、シールド材４等の部材は、当板３が有する電気抵抗率よりも高い電気抵抗率を有するものであるとよい。さらに、他の例として、シールド材４等の部材は、当板３が有する導電率よりも低い導電率を有するとよい。これらの部材の特性すべてを備える必要はなく、いずれか一つ以上を有していれば、低圧巻線２ａの漏れ磁束が当板３への鎖交を低減させることができるため、本発明のシールド材として実施可能である。
【００７４】
また、上記したシールド材４等の高さの一例について、図１２を用いて説明する。図１２は、低圧巻線２ａと高圧巻線２ｂより低い位置の構成を省略した図である、上述の他の実施例で説明した符号については説明を省略する。
【００７５】
低圧巻線２ａの内周角部から４５度の角度の延長線２００ａと当板３が交差する交点Ｂが示される。また、高圧巻線２ｂの内周角部から４５度の角度の延長線２００ｂと当板３が交差する交点Ｃが示される。
【００７６】
シールド材４ｋの高さの一例として低圧巻線２ａの上部開放部から交点Ｂまで突き出ているとよい。低圧巻線２ａ内周の角部から４５度の位置までシールド材４ｋを延ばすことで開放端から当板３の方に漏れる磁束を十分にシールド材４ｋが受けることが可能となる。
【００７７】
また、シールド材４ｋの高さの一例として高圧巻線２ｂの上部開放部から交点Ｃまで突き出ているとよい。高圧巻線２ｂの内周角部から４５度の位置までシールド材４ｋを延ばすことで開放端から当板３の方に漏れる磁束をシールド材４ｋが受けることが可能となる。
【００７８】
以上説明した複数の実施例は本発明の構成を限定するものではなく，異なる実施例に記載した構成物の形状，構造を任意に組み合わせても，本発明の効果は同様に得られる。
【００７９】
また、本発明は、タンク内に配置されたコイル及び鉄心を覆うように絶縁油が投入される油入変圧器や巻線を樹脂モールドで覆うモールド変圧器にも実施可能である。また、鉄心、巻線と当板を有する機器であれば実施可能である。
【符号の説明】
【００８０】
１：鉄心
１ａ：Ｕ相磁脚
１ｂ：Ｖ相磁脚
１ｃ：Ｗ相磁脚
２ａ：低圧巻線
２ｂ：高圧巻線
３：当板
４：シールド材
４ａ：薄板状高透磁率材料
５ａ：上部固定部材
５ｂ：下部固定部材
６：スタッドボルト
７：ボルトおよびナット
【図１】
2018107224.tif 000004
【図２】
2018107224.tif 000005
【図３】
2018107224.tif 000006
【図４】
2018107224.tif 000007
【図５】
2018107224.tif 000008
【図６ａ】
2018107224.tif 000009
【図６ｂ】
2018107224.tif 000010
【図７】
2018107224.tif 000011
【図８】
2018107224.tif 000012
【図９】
2018107224.tif 000013
【図１０】
2018107224.tif 000014
【図１１】
2018107224.tif 000015
【図１２】
2018107224.tif 000016